(57)【要約】      （修正有）【課題】美観が良く、軽量薄型で取り扱いが簡単で、家具類等の空間にも安置でき、安価であり、吊り下げ用仏壇としても使用可能な薄型小仏壇を提供する。【解決手段】仏壇本体、上開閉扉及び下開閉扉からなる。仏壇本体は、二重構造の天井板と底板に、開閉扉収納用溝部とお厨子蓋挿着用溝部が設けられ、左右側板内面前端に設けた角柱と上下開閉扉に、開閉扉固定用マグネットが埋設され、内側天井板下面に梁部材と補強部材、底板下面左右両端部に滑り防止部材を有する。上開閉扉と下開閉扉は、それぞれ、開閉用支軸を嵌着した矩形状である。【選択図】図１０
0003159241.tif 000002
【実用新案登録請求の範囲】
【請求項１】
タンスや食器棚や整理棚等の家具類（Ｆ）の空間部に安置可能な薄型の小仏壇であって、該仏壇は天井部と底部に開閉扉（２）（３）が前後方向に収納可能な隙間（Ｓ１）（Ｓ２）を有する、二重構造の天井板（１"）（１"）と底板（１'）（１'）をそれぞれ設け、且つ、二重構造の天井板（１"）（１"）と底板（１'）（１'）の上下中心部に位置し、左右側板内面の前後方向に開閉扉収納用の溝部（１ａ）（１ａ'），（１ｂ）（１ｂ'）をそれぞれ設け、且つ、左右側板後端内面の上下方向及び内側底板内面及び内側天井板内面の左右方向にお厨子蓋（４）挿着用の溝部（１ｆ）（１ｆ）（１ｆ）（１ｆ）をそれぞれ設け、且つ、左右側板内面の前端にそれぞれ設けた角柱（１ｃ）（１ｄ）と上下開閉扉（２）（３）には開閉扉固定用のマグネット（ＭＧ１）（ＭＧ２）（ＭＧ３），（ＭＧ１）（ＭＧ２）（ＭＧ３）をそれぞれ埋設して設け、且つ、左右中柱間の内側天井板（１"）下面に梁部材（１ｅ）と補強部材（１ｅ'）（１ｅ'）をそれぞれ設け、且つ、底板（１'）下面の左右両端部に滑り防止部材（１ｇ）（１ｇ）をそれぞれ貼着して設けた仏壇本体（１）と、前面中央下端部に半月状の取手溝（２ａ）と、上端左右側面部に開閉用支軸（２ｂ）（２ｂ）をそれぞれ嵌着して設けた矩形状の上開閉扉（２）と、上端側面部に上開閉扉（２）の下端部が重合密着するように設けたＬ字状の溝部（３ａ）と、下端左右側面部に開閉用支軸（３ｂ）（３ｂ）をそれぞれ嵌着して設けた矩形状の下開閉扉（３）から成り、且つ、上下開閉扉（２）（３）を開く時は、最初に上開閉扉（２）中央下端部に設けた半月状の取手溝（２ａ）部に指を差し込んで水平状態になるまで手前に持ち上げ、本体後方に押し込んで上開閉扉（２）を収納し、更に下開閉扉の上端部を持って水平状態になるまで手前に倒し、本体後方に押し込んで下開閉扉（３）を収納する事を特徴とする薄型小仏壇。
【考案の詳細な説明】
【技術分野】
【０００１】
この考案は、薄型小仏壇に関するものである。
【背景技術】
【０００２】
従来の仏壇は宗派によって若干の相違はあるものの、基本的には仏像や本尊や先祖の位牌等を安置する為、床の間や仏間等のスペースに合わせた大型の仏壇が多く使用され、材質も様々で黒檀や紫檀やチーク材等を使用した高級仏壇も数多く使用されていた。しかし、近年はマンションやアパート等が多くなり、床の間や仏間のある家が徐々に少なく成りつつある。
【０００３】
そうした状況の中、仏壇の形状や構造や材質等も時代と共に変化しつつあり、特にマンションやアパート暮らしの人は、美観が良く、軽量で、取り扱いが簡単で、安価なものを要求される方が多く成りつつある。
【先行技術文献】
【特許文献】
【０００４】
これまでに出願されている仏壇に関する特許文献を参考の為、紹介する（特許文献１〜５参照）。
【特許文献１】特開２００２−０３４７７４
【特許文献２】特開２００２−２２３９３３
【特許文献３】特開２００３−０６１８１１
【特許文献４】特開２００４−０８９６４８
【特許文献５】特開２００４−１１３７４２
【考案の概要】
【考案が解決しようとする課題】
【０００５】
そこで、上記課題を解決する為に、この考案は美観が良く、軽量で薄型で取り扱いが簡単で、家具類等の空間にも安置でき、且つ、安価であり、背面上部に金具を係止して吊り下げ用仏壇としても使用可能な薄型小仏壇を開発・提供する事にある。
【課題を解決するための手段】
【０００６】
課題を解決するための手段として、天井部と底部に開閉扉が前後方向に収納可能な隙間を有する、二重構造の天井板と底板をそれぞれ設け、且つ、二重構造の天井板と底板の上下中心部に位置し、左右側板内面の前後方向に開閉扉収納用の溝部をそれぞれ設け、且つ、左右側板後端内面の上下方向及び内側底板内面及び内側天井板内面の左右方向にお厨子蓋挿着用の溝部をそれぞれ設け、且つ、左右側板内面の前端にそれぞれ設けた角柱と上下開閉扉には開閉扉固定用のマグネットをそれぞれ埋設して設け、且つ、左右中柱間の内側天井板下面に梁部材と補強部材をそれぞれ設け、且つ、底板下面の左右両端部に滑り防止部材をそれぞれ貼着して設けた仏壇本体と、前面中央下端部に半月状の取手溝と、上端左右側面部に開閉用支軸をそれぞれ嵌着して設けた矩形状の上開閉扉と、上端側面部に上開閉扉の下端部が重合密着するように設けたＬ字状の溝部と、下端左右側面部に開閉用支軸をそれぞれ嵌着して設けた矩形状の下開閉扉から成り、且つ、上下開閉扉を開く時は、最初に上開閉扉中央下端部に設けた半月状の取手溝部に指を差し込んで水平状態になるまで手前に持ち上げ、本体後方に押し込んで上開閉扉を収納し、更に下開閉扉の上端部を持って水平状態になるまで手前に倒し、本体後方に押し込んで下開閉扉を収納する事を特徴とするものである。
【考案の効果】
【０００７】
この考案の効果として、天井部と底部に開閉扉が前後方向に収納可能な隙間を有する、二重構造の天井板と底板をそれぞれ設け、且つ、二重構造の天井板と底板の上下中心部に位置し、左右側板内面の前後方向に開閉扉収納用の溝部をそれぞれ設け、且つ、左右側板後端内面の上下方向及び内側底板内面及び内側天井板内面の左右方向にお厨子蓋挿着用の溝部をそれぞれ設け、且つ、左右側板内面の前端にそれぞれ設けた角柱と上下開閉扉には開閉扉固定用のマグネットをそれぞれ埋設して設け、且つ、左右中柱間の内側天井板下面に梁部材と補強部材をそれぞれ設け、且つ、底板下面の左右両端部に滑り防止部材をそれぞれ貼着して設けた仏壇本体と、前面中央下端部に半月状の取手溝と、上端左右側面部に開閉用支軸をそれぞれ嵌着して設けた矩形状の上開閉扉と、上端側面部に上開閉扉の下端部が重合密着するように設けたＬ字状の溝部と、下端左右側面部に開閉用支軸をそれぞれ嵌着して設けた矩形状の下開閉扉から成る事で、外形的にも美観が良く、且つ、構造が簡単で軽量で薄型な為、家具類等の空間に容易に安置可能で、且つ、開閉扉が上下二分割型で取り扱い易く、又、仏壇本体の背面上部に係止用金具を係止すれば、吊り下げ用仏壇としても使用可能である等、極めて有益なる効果を奏するものである。
【図面の簡単な説明】
【０００８】
【図１】この考案の一実施例を示し、（Ａ）は上下開閉扉閉時の一部欠截平面図で、（Ｂ）は正面図で、（Ｃ）は底面図である。
【図２】この考案の一実施例を示し、（Ａ）は上下開閉扉閉時の右側面図で、（Ｂ）は左側面図である。
【図３】この考案の一実施例を示し、図１（Ｂ）のａ-ａ矢視断面拡大図である。
【図４】この考案の一実施例を示し、図１（Ｂ）のｂ-ｂ矢視断面拡大図である。
【図５】この考案の一実施例を示し、図３のｃ-ｃ矢視断面図である。
【図６】この考案の一実施例を示し、図３のｄ-ｄ矢視断面図である。
【図７】この考案の一実施例を示し、図３のｅ-ｅ矢視断面図である。
【図８】この考案の一実施例を示し、上下開閉扉開時の正面図である。
【図９】この考案の一実施例を示し、上下開閉扉の開閉要領を示す左側断面図である。
【図１０】この考案の一実施例を示し、上下開閉扉開時と上下開閉扉開時閉時の斜視図である。
【図１１】この考案の使用例を示し、整理ダンス上に安置した時の斜視図である。
【考案を実施するための形態】
【０００９】
この考案を実施するための形態として、タンスや食器棚や整理棚等の家具類（Ｆ）の空間部に安置可能な薄型の小仏壇であって、該仏壇は天井部と底部に開閉扉（２）（３）が前後方向に収納可能な隙間（Ｓ１）（Ｓ２）を有する、二重構造の天井板（１"）（１"）と底板（１'）（１'）をそれぞれ設け、且つ、二重構造の天井板（１"）（１"）と底板（１'）（１'）の上下中心部に位置し、左右側板内面の前後方向に開閉扉収納用の溝部（１ａ）（１ａ'），（１ｂ）（１ｂ'）をそれぞれ設け、且つ、左右側板後端内面の上下方向及び内側底板内面及び内側天井板内面の左右方向にお厨子蓋（４）挿着用の溝部（１ｆ）（１ｆ）（１ｆ）（１ｆ）をそれぞれ設け、且つ、左右側板内面の前端にそれぞれ設けた角柱（１ｃ）（１ｄ）と上下開閉扉（２）（３）には開閉扉固定用のマグネット（ＭＧ１）（ＭＧ２）（ＭＧ３），（ＭＧ１）（ＭＧ２）（ＭＧ３）をそれぞれ埋設して設け、且つ、左右中柱間の内側天井板（１"）下面に梁部材（１ｅ）と補強部材（１ｅ'）（１ｅ'）をそれぞれ設け、且つ、底板（１'）下面の左右両端部に滑り防止部材（１ｇ）（１ｇ）をそれぞれ貼着して設けた仏壇本体（１）と、前面中央下端部に半月状の取手溝（２ａ）と、上端左右側面部に開閉用支軸（２ｂ）（２ｂ）をそれぞれ嵌着して設けた矩形状の上開閉扉（２）と、上端側面部に上開閉扉（２）の下端部が重合密着するように設けたＬ字状の溝部（３ａ）と、下端左右側面部に開閉用支軸（３ｂ）（３ｂ）をそれぞれ嵌着して設けた矩形状の下開閉扉（３）から成り、且つ、上下開閉扉（２）（３）を開く時は、最初に上開閉扉（２）中央下端部に設けた半月状の取手溝（２ａ）部に指を差し込んで水平状態になるまで手前に持ち上げ、本体後方に押し込んで上開閉扉（２）を収納し、更に下開閉扉の上端部を持って水平状態になるまで手前に倒し、本体後方に押し込んで下開閉扉（３）を収納する事を特徴とする薄型小仏壇から構成される。
【実施例１】
【００１０】
そこで、この考案の一実施例を図１〜図１０に基づいて詳述すると、まず、本考案の薄型小仏壇の詳細について説明すると、仏壇本体（１）の材質は木製で、外形の寸法形状は横幅約３３０ｍｍ×高さ約３３０ｍｍ×奥行約１１０ｍｍ×板厚約１５ｍｍの矩形状に形成されている。そして、この仏壇本体（１）の天井部と底部に上下用開閉扉（２）（３）が前後方向に収納可能な隙間（Ｓ１）（Ｓ２）をそれぞれ有する、二重構造の天井板（１"）（１"）と底板（１'）（１'）をそれぞれ設け、且つ、二重構造の天井板（１"）（１"）と底板（１'）（１'）の上下中心部に位置し、左右側板内面の前後方向には、図５に示すように、上下開閉扉収納用の溝部（１ａ）（１ａ'），（１ｂ）（１ｂ'）をそれぞれ設け、且つ、左右側板後端内面の上下方向及び内側底板内面及び内側天井板内面の左右方向には、図７・図９に示すように、お厨子蓋（４）挿着用の溝部（１ｆ）（１ｆ）（１ｆ）（１ｆ）をそれぞれ設け、該溝部に幅約３０６ｍｍ×高さ約３０６ｍｍ×板厚約３ｍｍのお厨子蓋（４）を挿着し、且つ、左右側板内面の前端にそれぞれ設けた左右の角柱（１ｃ）（１ｄ）には上下開閉扉固定用のマグネット（ＭＧ１）（ＭＧ１）をそれぞれ埋設して設け、且つ、左右中柱間の内側天井板（１"）下面に梁部材（１ｅ）と補強部材（１ｅ'）（１ｅ'）をそれぞれ設け、且つ、底板（１'）下面の左右両端部に滑り防止部材（１ｇ）（１ｇ）をそれぞれ貼着して設けられている。又、上記左右角柱（１ｃ）（１ｄ）のマグネット（ＭＧ１）（ＭＧ１）埋設部の前面と内面には装飾用のシール（ＳＥ）（ＳＥ），（ＳＥ）（ＳＥ）それぞれ貼着されている。
【００１１】
そして、図１（Ａ）（Ｂ）（Ｃ）・図３に示すように、仏壇本体（１）の前面側上下には、横幅約２９８ｍｍ×高さ約１０２ｍｍ×板厚約１５ｍｍの上開閉扉（２）と、横幅約      ２９８ｍｍ×高さ約２０２ｍｍ×板厚約１５ｍｍの下開閉扉（３）がそれぞれ設けられ、且つ、該上開閉扉の上端左右側面部と下開閉扉の下端左右側面部には図４に示すように、開閉用支軸（２ｂ）（２ｂ），（３ｂ）（３ｂ）がそれぞれ埋設され、且つ、該上開閉扉（２）の上端左右と下開閉扉（３）の下端左右には開閉扉を固定する為のマグネット（ＭＧ２）（ＭＧ２），（ＭＧ３）（ＭＧ３）がそれぞれ埋設され、且つ、該上開閉扉（２）の前面中央下端部に半月状の取手溝（２ａ）が設けられ、且つ、該下開閉扉（３）の上端側面部に上開閉扉（２）の下端部が重合密着するようにＬ字状の溝部（３ａ）を設けている。
【００１２】
次に、この考案の取り扱い要領について説明すると、図９・図１０に示すように正面側の上下開閉扉を開く時は、最初に上開閉扉（２）中央下端部に設けた半月状の取手溝（２ａ）部に指を差し込んで水平状態になるまで手前に持ち上げ、本体後方に押し込んで上開閉扉（２）を収納し、更に下開閉扉の上端部を持って水平状態になるまで手前に倒し、本体後方に押し込んで下開閉扉（３）を収納する。
【００１３】
又、上下開閉扉を閉じる時は、開く時の逆で、最初に下開閉扉（３）を前方手前側に引き、更に回動支軸（３ｂ）（３ｂ）を中心にして上方に持ち上げながら後方に倒してマグネット（ＭＧ１）（ＭＧ３）で固定する。続いて今度は上開閉扉（４）を前方手前側に引き、更に回動支軸（３ｂ）（３ｂ）を中心にして下側後方に倒してマグネット（ＭＧ１）（ＭＧ２）で固定する。
【００１４】
この考案の安置方法について説明すると、図１１に示すように例えば整理ダンス等の家具類（Ｆ）の空間部に安置する時は、出来るだけ仏壇を安定させる為に、背面が家具の壁面に密着させて安置する。そして、参拝する時は上下の開閉扉を開いて収納した状態で使用する。又、開閉扉は使用しない時は、埃や塵や虫等の侵入を防止する為に、扉を閉じておく方が良いが、換気性・通気性を考慮して、定期的に扉を開けて空気を入れ替える事も重要である。
【実施例２】
【００１５】
その他の実施例として、図示はしないが仏壇の背面上部左右に吊り下げ用係止金具を係止して、吊り下げ用仏壇として壁等に吊り下げて使用する事も可能である。
【産業上の利用可能性】
【００１６】
この考案の薄型小仏壇を製造・販売すれば美観が良く、軽量で薄型で取り扱い易く、安価である為、仏壇を求めている多くの消費者市場に寄与する為、産業上の利用可能性を有する。
【符号の説明】
【００１７】
１  仏壇本体
１'   底板
１"   天井板
１ａ  溝部（上開閉扉用）
１ａ'  溝部（上開閉扉用）
１ｂ  溝部（下開閉扉用）
１ｂ'  溝部（下開閉扉用）
１ｃ  左角柱
１ｄ  右角柱
１ｅ  梁部材
１ｅ'  補強部材
１ｆ  溝部（お厨子蓋挿着用）
２  上開閉扉
２ａ  取手溝
２ｂ  開閉用支軸（上開閉扉用）
３  下開閉扉
３ａ  Ｌ字状溝部
３ｂ  開閉用支軸（下開閉扉用）
４  お厨子蓋
Ｆ  家具類
Ｓ１  隙間（上開閉扉収納用）
Ｓ２  隙間（下開閉扉収納用）
ＳＥ  シール
ＭＧ１  マグネット（角柱埋設用）
ＭＧ２  マグネット（上開閉扉用）
ＭＧ３  マグネット（下開閉扉用）
【図１】
0003159241.tif 000003
【図２】
0003159241.tif 000004
【図３】
0003159241.tif 000005
【図４】
0003159241.tif 000006
【図５】
0003159241.tif 000007
【図６】
0003159241.tif 000008
【図７】
0003159241.tif 000009
【図８】
0003159241.tif 000010
【図９】
0003159241.tif 000011
【図１０】
0003159241.tif 000012
【図１１】
0003159241.tif 000013